(57)【要約】【課題】外壁と根太とを強固に固定し、床板の剛性低下を防ぐことのできる住宅の床構造及び住宅の建築工法を提供する。【解決手段】外壁パネル１の上端部９の内面に根太２０を複数の第一の棒形締結具２１を介して横方向から水平に固定し、外壁パネル１の上端部９上面と根太２０の上面とを面一に揃え、これら外壁パネル１の上端部９上面と根太２０の上面とに床板２２を複数の第二の棒形締結具２３を介して直接固定する。また、第一の棒形締結具２１を、外壁パネル１の上端部９と根太２０との間に水平に挿着し、第二の棒形締結具２３を、床板２２から外壁パネル１の上端部９にかけて垂直に挿着する。釘の斜め打ち部分を省略するので、外壁パネル１の頭つなぎ６と根太２０とが分離して床板２２の水平剛性強度が低下するおそれを払拭できる。【選択図】図１
2010248721.tif 000002
【特許請求の範囲】
【請求項１】
外壁パネルの上端部の内面に根太を第一の棒形締結具を介して横方向から固定し、外壁パネルの上端部上面と根太の上面とを略面一に揃え、これら外壁パネルの上端部上面と根太の上面とに床板を第二の棒形締結具を介して直接固定する住宅の床構造であって、
第一の棒形締結具を外壁パネルの上端部と根太との間に略水平に挿着し、第二の棒形締結具を床板から外壁パネルの上端部にかけて略垂直に挿着するようにしたことを特徴とする住宅の床構造。
【請求項２】
外壁パネルは、壁枠と、この壁枠に内蔵される断熱材と、壁枠の上部表面に取り付けられる積層断熱材と、この積層断熱材に積層される上枠と、この上枠に積層される頭つなぎと、壁枠と断熱材とを内側から被覆する被覆内層と、壁枠と断熱材とを外側から被覆する被覆外層とを含み、積層断熱材、上枠、及び頭つなぎにより上端部を形成し、被覆外層の上部を伸長して積層断熱材と上枠の外面に接触させるようにした請求項１記載の住宅の床構造。
【請求項３】
外壁パネルの壁枠及び断熱材と被覆内層との間に防湿気密層を介在させてその上端部を壁枠と被覆内層とから露出させ、この防湿気密層の露出した上端部を外壁パネルの上端部と根太とに挟み持たせるようにした請求項２記載の住宅の床構造。
【請求項４】
住宅を枠組壁工法により建築する際、外壁パネルの上端部の内面に根太を第一の棒形締結具を介して横方向から固定し、外壁パネルの上端部上面と根太の上面とを略面一に揃え、外壁パネルの上端部上面と根太の上面とに床板を第二の棒形締結具を介して直接固定する住宅の建築工法であって、
第一の棒形締結具を外壁パネルの上端部と根太との間に略水平に挿着し、第二の棒形締結具を床板から外壁パネルの上端部にかけて略垂直に挿着することを特徴とする住宅の建築工法。
【発明の詳細な説明】
【技術分野】
【０００１】
本発明は、住宅を枠組壁工法により建築する際、外壁パネルに床板を直接固定する住宅の床構造及び住宅の建築工法に関するものである。
【背景技術】
【０００２】
木造の住宅の建築工法としては、レイアウトの自由度に優れる木造軸組工法が代表的ではあるが、近年、優れた耐震性、耐火性、生産性等を得ることのできる枠組壁工法（２×４工法）が多用されて来ている。
【０００３】
係る枠組壁工法により住宅の１・２階を建築する場合には図３に示すように、１階の床板２２の周囲に複数の外壁３０を起こして床板２２と複数の外壁３０とを固定し、この複数の外壁３０の上部を構成する頭つなぎ６上に根太２０を釘により積層固定し、この根太２０上に２階の床板２２を釘により水平に固定（図４、図５参照）して水平剛性強度を確保した後、１階と同様の手順で２階を施工するようにしている（特許文献１、２、３参照）。
【０００４】
外壁３０の頭つなぎ６に根太２０を固定する際、釘は、根太２０の上面から頭つなぎ６にかけ、垂直下方に打ち込まれるのではなく、根太２０の外面から頭つなぎ６にかけ、斜め下方に打ち込まれるのが一般的である。
【先行技術文献】
【特許文献】
【０００５】
【特許文献１】特開２００８−２３１６６２号公報
【特許文献２】特開２００８−５０８３１号公報
【特許文献３】特開２００６−２２５８７１号公報
【発明の概要】
【発明が解決しようとする課題】
【０００６】
従来、枠組壁工法により住宅を建築する場合には、以上のように根太２０から外壁３０の頭つなぎ６にかけ、釘を斜め下方に単に打ち込んで固定するので、強い地震や暴風時の揺れで釘の斜め打ち部分が損傷し、その結果、外壁３０の頭つなぎ６と根太２０とが分離して床板の水平剛性強度が低下するおそれがあるという問題がある。
【０００７】
本発明は上記に鑑みなされたもので、外壁と根太とを強固に固定し、床板の剛性低下を防ぐことのできる住宅の床構造及び住宅の建築工法を提供することを目的としている。
【課題を解決するための手段】
【０００８】
本発明においては上記課題を解決するため、外壁パネルの上端部の内面に根太を第一の棒形締結具を介して横方向から固定し、外壁パネルの上端部上面と根太の上面とを略面一に揃え、これら外壁パネルの上端部上面と根太の上面とに床板を第二の棒形締結具を介して直接固定するものであって、
第一の棒形締結具を外壁パネルの上端部と根太との間に略水平に挿着し、第二の棒形締結具を床板から外壁パネルの上端部にかけて略垂直に挿着するようにしたことを特徴としている。
【０００９】
なお、外壁パネルは、壁枠と、この壁枠に内蔵される断熱材と、壁枠の上部表面に取り付けられる積層断熱材と、この積層断熱材に積層される上枠と、この上枠に積層される頭つなぎと、壁枠と断熱材とを内側から被覆する被覆内層と、壁枠と断熱材とを外側から被覆する被覆外層とを含み、積層断熱材、上枠、及び頭つなぎにより上端部を形成し、被覆外層の上部を伸長して積層断熱材と上枠の外面に接触させると良い。
【００１０】
また、外壁パネルの壁枠及び断熱材と被覆内層との間に防湿気密層を介在させてその上端部を壁枠と被覆内層とから露出させ、この防湿気密層の露出した上端部を外壁パネルの上端部と根太とに挟み持たせると良い。
また、外壁パネルの壁枠、上枠、頭つなぎ、及び根太をそれぞれランバー材製とすることができる。
【００１１】
また、被覆内層の上部に天井パネルを架設し、この天井パネルを根太と床板の下方に位置させることが可能である。
また、天井パネルは、被覆内層の上部に水平に固定されるボードと、このボード上に積層されて被覆内層の上部に水平に固定される枠板と、ボードの枠板に内蔵される断熱材とを備えると良い。
【００１２】
また、本発明においては上記課題を解決するため、住宅を枠組壁工法により建築する際、外壁パネルの上端部の内面に根太を第一の棒形締結具を介して横方向から固定し、外壁パネルの上端部上面と根太の上面とを略面一に揃え、外壁パネルの上端部上面と根太の上面とに床板を第二の棒形締結具を介して直接固定する建築工法であって、
第一の棒形締結具を外壁パネルの上端部と根太との間に略水平に挿着し、第二の棒形締結具を床板から外壁パネルの上端部にかけて略垂直に挿着することを特徴としている。
【００１３】
ここで、特許請求の範囲における外壁パネルの被覆内層や被覆外層、上枠、根太は、単数複数を特に問うものではない。また、第一、第二の棒形締結具には、少なくとも単数複数の釘、ボルト、木螺子、ビス等が含まれる。防湿気密層としては、単数複数のシートやフィルムを使用することができる。さらに、断熱材や積層断熱材としては、ロックウール、セルロースファイバー、ポリエチレンフォーム、硬質ウレタンフォーム等を使用することができる。
【発明の効果】
【００１４】
本発明によれば、外壁と根太とを強固に固定し、床板の剛性低下を防ぐことができるという効果がある。
【００１５】
また、外壁パネルの壁枠及び断熱材と被覆内層との間に防湿気密層を介在させてその上端部を壁枠と被覆内層とから露出させ、この防湿気密層の露出した上端部を外壁パネルの上端部と根太とに挟み持たせれば、気密性を向上させることができる。
【図面の簡単な説明】
【００１６】
【図１】本発明に係る住宅の床構造及び住宅の建築工法の実施形態を模式的に示す断面説明図である。
【図２】本発明に係る住宅の床構造及び住宅の建築工法の実施形態を模式的に示す斜視説明図である。
【図３】枠組壁工法により住宅の１階を建築する状態を模式的に示す斜視説明図である。
【図４】枠組壁工法により住宅の２階を建築する状態を模式的に示す斜視説明図である。
【図５】頭つなぎ上に根太を積層固定した状態を模式的に示す斜視説明図である。
【発明を実施するための形態】
【００１７】
以下、図面を参照して本発明の好ましい実施の形態を説明すると、本実施形態におけるは、図１や図２に示すように、外壁パネル１の上端部９の内面に根太２０を複数の第一の棒形締結具２１を介して固定し、外壁パネル１の上端部９上面と根太２０の上面とを面一に揃え、これら外壁パネル１の上端部９上面と根太２０の上面とに複数の床板２２を複数の第二の棒形締結具２３を介して直接固定するようにしている。
【００１８】
外壁パネル１は、図１に示すように、複数の木材の組み合わせにより中空の矩形に形成される壁枠２と、この壁枠２に内蔵されるグラスウール製の断熱材３と、壁枠２の上部表面に接着されるグラスウール製の積層断熱材４と、この積層断熱材４に積層固定される複数の上枠５と、この上枠５に現場で積層される頭つなぎ６と、壁枠２と断熱材３とを住宅の内側から被覆する被覆内層７と、壁枠２と断熱材３とを住宅の外側から被覆する被覆外層８とを備え、頭つなぎ６を除き、予め工場でユニット化された後、現場に必要数が輸送される。
【００１９】
外壁パネル１の壁枠２、複数の上枠５、頭つなぎ６は、特に限定されるものではないが、例えば乾燥性に優れる安価なランバー材等が使用される。壁枠２は、断熱材３と共に配線コード等からなる配線パーツが選択的に内蔵される。また、積層断熱材４は、上枠５と頭つなぎ６と共に外壁パネル１の上端部９を形成し、この上端部９に根太２０が横方向から固定される。
【００２０】
被覆内層７と被覆外層８とは、例えば構造用合板（例えば、針葉樹合板やラワン等）や安価な石膏ボード等を用いて矩形の板にそれぞれ形成され、窓用の開口等が適宜形成されており、被覆内層７よりも被覆外層８が上下方向に長く伸長形成される。
【００２１】
被覆内層７は、上端部に、１階の天井パネル１０が水平に架設され、下端部が壁枠２の下端部に揃うことなく段差を形成するよう、壁枠２の下端部内面を僅かに露出させており、この露出した壁枠２の下端部内面と床板２２との間に、防湿気密層１３の下端部を覆う変性シリコーン等からなるシーリング材１４が充填される。
【００２２】
天井パネル１０は、被覆内層７の上端部に水平に固定される石膏ボード１１と、この石膏ボード１１上に積層されて被覆内層７の上端部に水平に固定される枠板１２と、石膏ボード１１の枠板１２に内蔵される断熱材３とを備え、根太２０や床板２２の下方に空隙を介して位置する。この天井パネル１０は、石膏ボード１１と枠板１２及び断熱材３との間に、薄い防湿気密層１３が介在して敷設され、被覆内層７と枠板１２との境に防湿気密層１３用のシーリング材１４が接着される。
【００２３】
防湿気密層１３は、特に限定されるものではないが、例えば０．２ｍｍ以上の厚さを有するアルミ、ＰＥＴ、ＯＰＰ等のフィルムを使用して石膏ボード１１に略対応する大きさの矩形に形成され、優れた気密・防水機能を発揮する。また、シーリング材１４としては、変性シリコーン等が使用される。
【００２４】
壁枠２及び断熱材３と被覆内層７との間には薄い防湿気密層１３が介在して接着され、この防湿気密層１３の上下両端部が壁枠２と被覆内層７間からそれぞれ露出しており、防湿気密層１３の垂直上方に露出した上端部が外壁パネル１の上端部９内面と根太２０とに挟持される。防湿気密層１３は、特に限定されるものではないが、例えば０．２ｍｍ以上の厚さを有するアルミ、ＰＥＴ、ＯＰＰ等のフィルムを使用して壁枠２に略対応する大きさの矩形に形成され、露出した下端部が壁枠２の下面と床板２２とに屈曲して挟持されることにより、優れた気密・防水機能を発揮する。
【００２５】
被覆外層８は、壁枠２の高さよりも長く上下方向に伸長形成され、構造用合板からなる場合には、表裏面のうち、少なくとも表面に防虫処理や防腐処理が施される。この被覆外層８の壁枠２よりも上方に位置する上端部は、積層断熱材４と複数の上枠５の外面に接着される。
【００２６】
根太２０は、例えば乾燥性に優れる安価なランバー材等からなり、外壁パネル１の上端部９の内面、換言すれば、積層断熱材４、複数の上枠５、及び頭つなぎ６に横方向内側から複数の第一の棒形締結具２１により水平に固定される。この根太２０は、外壁パネル１の大きさに応じ、図１の奥方向に必要数が配列される。第一の棒形締結具２１としては、例えば頭つなぎ６に打ち込まれる釘あるいは木螺子等が使用される。
【００２７】
各床板２２は、例えば構造用合板等を用いて矩形に形成され、頭つなぎ６の上面と根太２０の上面とに水平に直接支持されるとともに、外壁パネル１の壁枠２よりも下方に伸びる被覆外層８の内面に突き当てられており、複数の第二の棒形締結具２３により固定される。第二の棒形締結具２３としては、例えば頭つなぎ６、複数の上枠５、及び積層断熱材４の一部を貫通する長い釘あるいは木螺子等が用いられる。その他の部分については、従来例と同様であるので説明を省略する。
【００２８】
上記構成において、枠組壁工法により住宅の１・２階を建築する場合には、先ず、１階の床板２２の周囲に複数の外壁パネル１を起立させて床板２２と複数の外壁パネル１とを複数の釘により接合固定し、この複数の外壁パネル１の上枠５に頭つなぎ６を積層固定し、被覆内層７の上端部に１階の天井パネル１０を水平に架設する。この天井パネル１０の架設に際しては、釘、ボルト、ビス、ナット、金具等の締結具を適宜使用することができる。
【００２９】
天井パネル１０を架設したら、頭つなぎ６に防湿気密層１３の露出した上端部を接着して外壁パネル１の上端部９とし、この外壁パネル１の上端部９の内面に根太２０を水平横方向から第一の棒形締結具２１を介して固定するとともに、外壁パネル１の上端部９の上面と根太２０の上面とを平坦な面一に揃え、これら外壁パネル１の上端部９上面と根太２０上面とに複数の床板２２を第一の棒形締結具２１を介して水平に直接敷設した後、１階と同様の手順で２階を施工すれば、住宅の１・２階を建築することができる。
【００３０】
これらの作業の際、第一の棒形締結具２１は、図１に示すように、強度を維持する観点から根太２０から外壁パネル１の上端部９にかけて水平に挿着する。また、第二の棒形締結具２３は、図１に示すように、強度を維持する観点から床板２２から外壁パネル１の上端部９にかけて垂直に挿着する。さらに、複数の床板２２の敷設に際しては、図２に示すように、床板２２の端面が揃うことのないよう、床板２２を交互に敷設することにより、水平方向の剛性を確保する。
【００３１】
上記構成によれば、根太２０の上面に２階の床板２２を単に載せて固定するのではなく、外壁パネル１の上端部９と根太２０とに床板２２を直接固定し、しかも、第一の棒形締結具２１を水平に挿着するとともに、第二の棒形締結具２３を垂直に挿着するので、強い地震や暴風時の揺れで釘の斜め打ち部分が損傷することがない。したがって、外壁パネル１の頭つなぎ６と根太２０とが分離して床板２２の水平剛性強度が低下するおそれを有効に払拭することができる。
【００３２】
また、床板２２の接触支持面積が拡大するので、外壁パネル１、根太２０、及び床板２２の強度や剛性を大幅に向上させることができる。また、防湿気密層１３の露出した上端部を外壁パネル１の上端部９と根太２０とに挟持させるので、防湿範囲の拡大により、気密性の向上が大いに期待できる。また、１階の天井パネル１０を２階の床板２２よりも下げて固定するので、２階の床板２２からの振動音の伝播を有効に抑制防止することが可能になる。
【００３３】
また、外壁パネル１の大部分を予め製造してストックしておくので、時間をかけて現場で外壁パネル１を製作する必要が全くない。したがって、作業性を著しく向上させて建築の工期を短縮することが可能になる。また、外壁パネル１の一部や根太２０にランバー材を使用すれば、強度や堅牢性に優れ、反りにくく、しかも、安価なので、コスト削減を図ることが可能になる。さらに、シリコーン製のシーリング材１４を使用すれば、優れた耐候性や防水性が期待できる。
【００３４】
なお、上記実施形態の外壁パネル１は、長方形でも良いし、正方形でも良い。この外壁パネル１の壁枠２の内部には、複数の桟部材を縦横に架設して壁枠２の強度や剛性を向上させることができる。また、シーリング材１４は、定形・不定形を特に問うものではない。
【符号の説明】
【００３５】
１        外壁パネル
２        壁枠
３        断熱材
４        積層断熱材
５        上枠
６        頭つなぎ
７        被覆内層
８        被覆外層
９        上端部
１０      天井パネル
１３      防湿気密層
２０      根太
２１      第一の棒形締結具
２２      床板
２３      第二の棒形締結具
【図１】
2010248721.tif 000003
【図２】
2010248721.tif 000004
【図３】
2010248721.tif 000005
【図４】
2010248721.tif 000006
【図５】
2010248721.tif 000007